(57)【要約】      （修正有） 【課題】商品を収納するあるいは順序立てて貯蔵する収納装置を提供する。【解決手段】収納装置は、商品を収納する容器１０と、ユーザの方向を向いた開口を具備する支持部材１とを有する。支持部材１は壁或いはパネル１５に固定され、容器１０は開口内に着脱可能に挿入されそれらの間の摩擦によりそこに維持され、容器１０は支持部材１にその内部が見えるような面を提示するよう係合され、支持部材１は、周囲壁２により形成される凹みを有し、凹みが開口を規定し、開口は凹みの一部に関連してタブを有し、タブよりパネル１５に対し支持する表面を提供して支持部材１を支持する。【選択図】図５
0003199479.tif 000002
【実用新案登録請求の範囲】
【請求項１】
商品を収納するあるいは順序立てて貯蔵する収納装置において、
商品を収納する容器（１０）と、ユーザの方向を向いた開口を具備する支持部材（１）とを有し、
前記支持部材（１）は壁或いはパネル（１５）に固定され、前記容器（１０）は前記開口内に着脱可能に挿入されそれらの間の摩擦によりそこに維持され、前記容器（１０）は前記支持部材（１）にその内部が見えるような面を提示するよう係合され、
前記支持部材（１）は、周囲壁（２）により形成される凹みを有し、前記凹みが前記開口を規定し、前記開口は前記凹みの一部に関連してタブ（５）を有し、前記タブ（５）より前記パネル（１５）に対し支持する表面を提供して前記支持部材（１）を支持する
ことを特徴とする物を収納装置。
【請求項２】
前記周囲壁（２）は、片持ち梁形式のフランジ（７）により前記凹みの入口（６）のエッジから外側に伸びる
ことを特徴とする請求項１記載の収納装置。
【請求項３】
前記周囲壁（２）は、片持ち梁形式のフランジ（７）により伸びる周囲壁と、前記周囲壁（２）を包囲するフランジ（８）の形態の周囲壁で構成される
ことを特徴とする請求項１記載の収納装置。
【請求項４】
前記凹みの底部（４）の各角部にタブ（５）を具備する
ことを特徴とする請求項１記載の収納装置。
【請求項５】
前記凹み内に底部（４）を有し、前記底部（４）は支持部材（１）の一部あるいはタブ（５）を各角部に有する
ことを特徴とする請求項１記載の収納装置。
【請求項６】
前記支持部材（１）は、前記凹みを構成する一体型のモールド部材で構成される
ことを特徴とする請求項１−３のいずれかに記載の収納装置。
【請求項７】
挿入用プレート（９）を更に含み、前記挿入用プレート（９）は、前記凹みの底部（４）をカバーするようにしてタブ（５）を隠す
ことを特徴とする請求項６記載の収納装置。
【請求項８】
前記挿入用プレート（９）は、前記周囲壁（２）の底部（４）又は前記周囲壁（２）の延長部分に、前記挿入用プレート（９）の固定用フランジ（９ａ）をロックすることにより着脱可能に固定される
ことを特徴とする請求項７記載の収納装置。
【請求項９】
前記タブ（５）は、貫通開口を提供し、これによりパネル（１５）への位置マークあるいは固定を可能にする
ことを特徴とする請求項４記載の収納装置。
【請求項１０】
前記タブ（５）の支持表面は、支持部材（１）を固定するためにその両側に接着剤が塗布されたラミネート部品を有する
ことを特徴とする請求項４記載の収納装置。
【請求項１１】
前記容器（１０）は、透明あるいは半透明の蓋（１１）を有する
ことを特徴とする請求項１記載の収納装置。
【請求項１２】
前記容器（１０）は、セパレータ（１２）として機能するシートあるいはプレートを有し、前記セパレータ（１２）は、前記蓋（１１）との間に第１空間（１３）と、前記容器（１０）の底との間に第２空間（１４）を形成し、前記第１空間（１３）は前記容器（１０）の内容物を表示し前記セパレータ（１２）を隠し、前記第２空間（１４）は前記内容物が収納される、
ことを特徴とする請求項１１記載の収納装置。
【請求項１３】
前記容器（１０）の内側は内容物を収納するのに適したパーティションにより一連の区画に分割されている
ことを特徴とする請求項１−１２のいずれかに記載の収納装置。
【考案の詳細な説明】
【技術分野】
【０００１】
本考案は、容器内にある様々な商品（内容物とも称する）を収納するあるいは順序立てて貯蔵／収納する収納装置に関する。この容器は壁に取り付けられた支持部材に取り付けられる。
【背景技術】
【０００２】
この収納装置は、商品を視覚的に綺麗に見せるためのプレゼン用であり、収納装置の配置を容易にし、透明あるいは半透明の蓋を通して容器（収納装置とも称する）の中の商品が見えるようにしている。容器が壁に対し垂直方向を向いた支持部材に顧客の方を向いて取り付けられた時には、この蓋は商品の容器を容易に操作できるようにしながら直接商品にアクセスできるようにしている。
【先行技術文献】
【特許文献】
【０００３】
【特許文献１】ＥＳ−Ｂ１−２３１０４９３号明細書
【０００４】
特許文献１は、複数の商品を順序よく配列するような収納装置を開示し、一連の容器内に収納された商品を見やすくしている。この容器は一部の区画内に挿入され、又はこの区画から突出して、容器を壁に対して垂直方向表面あるいは若干傾斜した表面の上に並べて配置される。あるいは支持部材内に配置されて、各容器内の内容物を直接見ることができ、即ちその中にある様々な商品を間近で見ることができ、それぞれの区画内から容器を単に取り出すだけで、この内容物に容易にアクセスできるようにしている。本考案は、この特許文献１に記載された目的を更に発展させたものである。
【考案の概要】
【考案が解決しようとする課題】
【０００５】
本考案の提案する支持部材の一実施例は、容器を簡単に搭載できるよう収納し保持する１つあるいは複数の区画を有し、複数の区画と一体に構成されあるいはグループ分けされる容器である。
【０００６】
本考案の容器はセパレータを含み、それにより複数のスペースに区別され、その内の１つは商品の収納用であり他のものは蓋を通して中身が見えるようにしている。
【課題を解決するための手段】
【０００７】
本考案は商品を収納するあるいは順序立てて貯蔵する収納装置に関連する。本考案の収納装置は蓋を有する。収納装置である容器は支持部材内の開口に取り付けられる。この開口はユーザの方を向いており、商品は蓋をしたまま見ることができ、かつ容易に搭載できる。本考案はこの様な支持部材の構造と特徴を提供する。
【０００８】
本考案の支持部材は、壁に固定されて、支持部材の開口に挿入された容器を保持する。更に本考案の支持部材は、容器の一部に前記開口の壁との摩擦により取り付けられ、容器を支持部材から引き抜くことにより取り外すことができる。前記支持部材に容器の主面がユーザの方を向いてその中身を見ることができるように配置される。
【０００９】
本考案の第１実施例においては、この支持部材は、フレームの一種である周囲の壁により形成された凹みを有する、即ち蓋を具備する容器を受け入れ可能なような寸法と形状の開口を規定し、開口内に容器容器は摩擦又は係合部品により保持される。特に凹みの端部近傍の場所にタブが具備され、このタブにより壁に対し支持部材の表面を提供して支持部材を固定させる。
【００１０】
本考案の第２実施例においては、凹みを規定する周囲壁は、外側方向に伸びて、即ち凹みの入口エッジから出発する周囲の片持ち梁形式のフランジの手段により伸びる。
本考案の更なる実施例においては、前記周囲にある片持ち梁形式のフランジは、周囲壁の第１部分を包囲する周囲部分により伸びる。
全ての場合において支持部材は、モールドで一体成形された部材により構成される。
【００１１】
特に前記モールドされた部材は、４個の周囲壁と底部の壁により形成された凹みを有する。それぞれの角部に前記のタブに等価な支持機能を与え、壁あるいはパネルに固定される。
【００１２】
上記の実施例において、底部の壁は、着脱可能に前記底部に固定用フランジにより取り付けられたあるいは重ね合わされた挿入用プレートを有する。この固定用フランジは凹みの側面に形成されたノッチ内に配置され、その結果この挿入されたプレートは凹みの底部をカバーして４カ所のコーナにあるタブ即ち固定用支持部材を隠す。
【００１３】
タブ又は固定用支持部材は、貫通開口を有し、固定部材例えばネジにより前記壁に位置マークを形成するあるいはそこに固定される。別の方法としてそれらを用いて表裏に表面接着剤を有する固定バンドを支持する。
【００１４】
蓋を有する容器はセパレータ要素（シートあるいはプレート）を有する。このセパレータが、蓋とセパレータとの間の第１空間と、セパレータと容器の底部との間の第２空間を形成する。第１空間には商品が展示用に収納されている。第２空間には商品が積み重ねられたり雑多に配置されている。それらは区別された状態にある。かくしてセパレータは、容器の商品の少なくとも一部を収納し展示し、残りの商品は顧客の目から隠すように配置する。
【００１５】
パネルに取り付けられた支持部材の凹みの周囲壁は、上を向いて傾斜しており容器との摩擦により結合されている。
【図面の簡単な説明】
【００１６】
【図１ａ】パネルに固定するために４個のタブを具備した一体型の支持部材の第１実施例の斜視図。
【図１ｂ】固定用パネルを示す図１ａの横方向断面図。
【図２ａ】片持ち梁形式で外側に伸びる周囲壁を具備する第２実施例の斜視図。
【図２ｂ】固定用パネルを示す図２ａの横方向断面図。
【図３ａ】第１群の周囲壁を包囲する周囲壁により伸びた状態の片持ち梁形式の周囲壁であり、これにより固定用の４個の位置あるいは支持部材を提供する一体型支持部材の本考案の第３の実施例の斜視図。
【図３ｂ】固定用パネルを示す図３ａの横方向断面図。
【図４ａ】図３ａ，ｂに記載した一体型の支持部材の展開斜視図であり、着脱可能な挿入されたパネルが示され、前記凹みの底部をカバーして内容物を隠し固定する図。
【図４ｂ】図４ａの展開斜視図。
【図５】透明な蓋を具備した容器がセパレータと前記容器の凹みの底部をカバーするプレートを有する支持部材を示す本考案の収納装置の展開断面図。
【図６】摩擦により結合された支持部材に挿入される容器を示す。図５の横方向断面図。
【図７】３個の容器を収納する３つの凹みを具備する一体型の支持部材を有する本考案の収納装置の展開斜視図。
【考案を実施するための形態】
【００１７】
図１ａ，１ｂにおいて本考案の第１実施例の一体型の支持部材１は四角形の凹みを含む。この凹みは４個の周囲壁２とコーナー３と底部４により形成される。この実施例においては、各コーナーに開いた４個のタブ５を有する。これよりも少ない数例えば２個のタブは底部の向かい合った角部に配置することもできる。このタブ５によりパネル１５に対し支持表面を提供して支持部材１を固定する。支持部材１に取り付けられた前面はユーザ（顧客）の方を向いている。周囲壁２は中央ゾーンに開口或いは隔壁を提供し、凹みを規定する４個のコーナーが構成される。
【００１８】
図２ａ，２ｂに示す第２実施例において、支持部材１は、片持ち梁形式のフランジ７を含む。この片持ち梁形式のフランジ７は、凹みを規定する周囲壁２から片持ち梁形式で伸びる。
【００１９】
図３ａ，３ｂに示す第３実施例において、支持部材１はその前面に片持ち梁形式で伸びるフランジ７を有する。この片持ち梁形式のフランジ７は、凹みを規定する第１群の周囲壁２を包囲するフランジ８に続く。その結果この場合支持部材１は二重の壁を構成する周囲壁２とフランジ８とを有する。
【００２０】
図４ａ，４ｂに示すように支持部材１は開いたあるいは閉じた底部４を有する。挿入用のプレート９は、底部４をあるいは前記凹みをカバーして固定手段を隠す。プレート９は固定用フランジ９ａを有し、これが凹みの側面に形成されたノッチに適合する。このプレート９は固定手段を隠す働きをする。
【００２１】
他の実施例において、二重の壁を構成する周囲壁２とフランジ８により規定される容器の凹みは、他の形状例えば四角形、楕円形、円形、菱形等を採ることができる。これは、容器の形状に合わせた開口にすることができる。その結果凹みの全ての壁との摩擦によりプレート９が引っかかって凹み内に保持される。
【００２２】
図５において、図４の支持部材１を有する本考案の収納装置は、挿入用プレート９と容器１０とを有する。このプレート９は底部４と固定手段をカバーする平板形状をしている。容器１０は、透明あるいは半透明の蓋１１を具備し外から透明な蓋１１を通して内容物を観ることができる。容器１０は支持部材１に挿入され支持されている。同図に示すように、セパレータ１２（この実施例ではシートあるいはプレートの形態をしている）は、蓋１１とセパレータ１２との間に第１空間１３を形成しそこに商品を配置する。この第１空間１３内に展示用に容器の商品（内容物）が収納される。第２空間１４内に商品を顧客から見えないように貯蔵する。
【００２３】
図６に示すように、容器１０は支持部材１に挿入され保持される。この支持部材１は、パネル１５に固定手段（ネジ又は類似の手段）によりその場所に結合／連結される。その結果容器１０内に収納される商品あるいはそのサンプル（セパレータ１２を用いた場合）が、ユーザに見えるように直接配置され、ユーザは透明な蓋１１を通してそれを見ることができ、容器１０内への直接的なアクセスを提供する。これにより蓋１１を開き、セパレータ１２を取り除いた後、第２空間１４内に含まれる内容物に触れることができるようになる。
【００２４】
支持部材１は以下のグループから選択された合成材料で形成される。即ち砂（シリカ、ガラス、ガラスファイバ、繊維状ガラスを含む）、クレイ、石、金属材料、有機材料からなるグループから選択される。
【００２５】
特殊な形態の支持部材１が図７に示されている。その底部はこの実施例においては開放されており、３個の容器１０を収納する支持部材１を提供している。この支持部材の凹みには示されていないが、挿入用プレート９は固定用タブを隠すように組み込むこともできる。
【００２６】
図７に示す実施例においては、容器１０の本体の内側は、連続する隣接する区画内にパーティションあるいはそれを分ける部材を組み込んでもよく、その寸法は区画内に対象物を収納できる大きさである。
【００２７】
以上の説明は、本考案の一実施例に関するもので、この技術分野の当業者であれば、本考案の種々の変形例を考え得るが、それらはいずれも本考案の技術的範囲に包含される。実用新案登録請求の範囲の構成要素の後に記載した括弧内の番号は、図面の部品番号に対応し、考案の容易なる理解の為に付したものであり、考案を限定的に解釈するためのものではない。また同一番号でも明細書と実用新案登録請求の範囲の部品名は必ずしも同一ではない。これは上記した理由による。明細書の記載において「少なくとも１つ或いは複数」、「と／又は」は、それらの内の１つに限定されない。例えば「Ａ，Ｂ，Ｃの内の少なくとも１つ」は「Ａ」、「Ｂ」、「Ｃ」単独のみならず「Ａ，Ｂ或いはＢ，Ｃ更には又Ａ，Ｂ，Ｃ」のように複数のもの、ＡとＢの組合せＡとＢとＣの組合せでもよい。「Ａ，Ｂと／又はＣ」は、Ａ，Ｂ，Ｃ単独のみならず、ＡとＢの２つ、或いはＡとＢとＣの全部を含んでもよい。本明細書において「Ａを含む」「Ａを有する」は、Ａ以外のものを含んでもよい。特に記載のない限り、装置又は手段の数は、単数か複数かを問わない。
【符号の説明】
【００２８】
１：支持部材
２：周囲壁
３：コーナー
４：底部
５：タブ
６：入口
７：片持ち梁形式のフランジ
８：フランジ
９：挿入用プレート
９ａ：固定用フランジ
１０：容器
１１：蓋
１２：セパレータ
１３：第１空間
１４：第２空間
１５：パネル
【図１ａ】
0003199479.tif 000003
【図１ｂ】
0003199479.tif 000004
【図２ａ】
0003199479.tif 000005
【図２ｂ】
0003199479.tif 000006
【図３ａ】
0003199479.tif 000007
【図３ｂ】
0003199479.tif 000008
【図４ａ】
0003199479.tif 000009
【図４ｂ】
0003199479.tif 000010
【図５】
0003199479.tif 000011
【図６】
0003199479.tif 000012
【図７】
0003199479.tif 000013